(57)【要約】【課題】複数の素子どうしを容易に配線できる有機電界発光素子、照明装置及び照明システムを提供する。【解決手段】実施形態によれば、第１基板と第１電極と有機発光層と第２電極と第２基板と第１端子部と第２端子部とを備えた有機電界発光素子が提供される。第１基板は、素子領域と素子領域を囲む外周領域とを含む多角形状の上面を有する。第１電極は、素子領域の上に設けられる。有機発光層は、第１電極の上に設けられる。第２電極は、有機発光層の上に設けられる。第２基板は、第２電極の上に設けられ、有機発光層及び第２電極を覆う。第１端子部は、外周領域の上に設けられ、第１電極と電気的に接続される。第２端子部は、外周領域の上において第１端子部と離間して設けられ、第２電極と電気的に接続される。上面の複数の辺のそれぞれに対して、第１端子部及び第２端子部の少なくとも一方が沿う。【選択図】図１
2014154212.tif 000002
【特許請求の範囲】
【請求項１】
素子領域と前記素子領域を囲む外周領域とを含む多角形状の上面を有する光透過性の第１基板と、
前記素子領域の上に設けられた第１電極と、
前記第１電極の上に設けられた有機発光層と、
前記有機発光層の上に設けられた第２電極と、
前記第２電極の上に設けられ、前記有機発光層及び前記第２電極を覆う第２基板と、
前記外周領域の上に設けられ、前記第１電極と電気的に接続された第１端子部と、
前記外周領域の上において前記第１端子部と離間して設けられ、前記第２電極と電気的に接続された第２端子部と、
を備え、
前記第１端子部は、前記上面の１つの辺に沿う部分と、前記１つの辺の隣りの辺に沿う部分と、を少なくとも含み、
前記第２端子部は、前記１つの辺と異なる別の１つの辺に沿う部分と、前記別の１つの辺の隣りの辺に沿う部分と、を少なくとも含み、
前記上面の複数の辺のそれぞれに対して、前記第１端子部及び前記第２端子部の少なくとも一方が沿う有機電界発光素子。
【請求項２】
前記上面の辺の数が、２ｍ（ｍは、２以上の整数）であるとき、
前記第１端子部は、前記上面の複数の辺のうちの連続するｍ＋１の辺のそれぞれに沿うｍ＋１の部分を含み、
前記第２端子部は、前記上面の複数の辺のうちの連続する別のｍ＋１の辺のそれぞれに沿うｍ＋１の部分を含み、
前記上面の辺の数が、２ｎ＋１（ｎは、１以上の整数）であるとき、
前記第１端子部は、前記上面の複数の辺のうちの連続するｎ＋１の辺のそれぞれに沿うｎ＋１の部分を含み、
前記第２端子部は、前記上面の複数の辺のうちの連続する別のｎ＋１の辺のそれぞれに沿うｎ＋１の部分を含む請求項１記載の有機電界発光素子。
【請求項３】
前記上面は、第１辺と、前記第１辺と対向する第２辺と、前記第１辺の一端と前記第２辺の一端とを接続する第３辺と、前記第１辺の他端と前記第２辺の他端とを接続する第４辺と、を含む四角形状であり、
前記第１端子部は、前記第１辺に沿う部分と、前記第３辺に沿う部分と、前記第４辺に沿う部分と、を含み、
前記第２端子部は、前記第２辺に沿う部分と、前記第３辺に沿う部分と、前記第４辺に沿う部分と、を含む請求項２記載の有機電界発光素子。
【請求項４】
前記第１端子部及び前記第２端子部のそれぞれは、光透過性を有する請求項１〜３のいずれか１つに記載の有機電界発光素子。
【請求項５】
前記第１端子部は、前記第１電極と同じ材料を含み、前記第１電極と連続している請求項４記載の有機電界発光素子。
【請求項６】
前記有機発光層及び前記第２基板のそれぞれは、光透過性を有し、
前記第１電極及び前記第２電極のどちらか一方は、光反射性を有し、前記上面に対して平行な平面に投影したときに、前記第１電極の一部と重ならない請求項１〜５のいずれか１つに記載の有機電界発光素子。
【請求項７】
前記有機発光層、前記第１電極、前記第２電極及び前記第２基板のそれぞれは、光透過性を有する請求項１〜５のいずれか１つに記載の有機電界発光素子。
【請求項８】
前記第１電極と前記第１端子部との少なくとも一方と電気的に接続され、導電材料を含む配線層を、さらに備えた請求項１〜７のいずれか１つに記載の有機電界発光素子。
【請求項９】
請求項１〜８のいずれか１つに記載の有機電界発光素子と、
前記第１電極と前記第２電極とに電気的に接続され、前記第１電極及び前記第２電極を介して前記有機発光層に電流を供給する電源部と、
を備えた照明装置。
【請求項１０】
請求項１〜８のいずれか１つに記載の複数の有機電界発光素子と、
前記複数の有機電界発光素子のそれぞれと電気的に接続され、前記複数の有機電界発光素子のそれぞれの点灯・消灯を制御する制御部と、
を備えた照明システム。
【請求項１１】
前記複数の有機電界発光素子のそれぞれは、並べて配置され、
前記複数の有機電界発光素子のちの１つの前記有機電界発光素子の前記第１端子部と、前記１つの有機電界発光素子の隣りの別の１つの前記有機電界発光素子の前記第１端子部及び前記第２端子部の一方と、を電気的に接続する光透過性の接続部材を、さらに備えた請求項９記載の照明システム。
【請求項１２】
前記接続部材は、リード線を半田付けした導電性部材、及び、ボンディングされた導電線である請求項１１記載の照明システム。
【発明の詳細な説明】
【技術分野】
【０００１】
本発明の実施形態は、有機電界発光素子、照明装置及び照明システムに関する。
【背景技術】
【０００２】
第１電極と、第２電極と、第１電極と第２電極との間に設けられた有機発光層と、を含む有機電界発光素子がある。有機電界発光素子を光源として用いた照明装置がある。複数の有機電界発光素子と、これら複数の有機電界発光素子の点灯及び消灯を制御する制御部と、を含む照明システムがある。有機電界発光素子では、複数の素子を並べて配置し、それらを直列または並列に接続することにより、発光面積を大面積化することが行われている。有機電界発光素子では、複数の素子どうしを容易に配線できるようにすることが望まれる。
【先行技術文献】
【特許文献】
【０００３】
【特許文献１】特開２０１１−１９２５６４号公報
【発明の概要】
【発明が解決しようとする課題】
【０００４】
本発明の実施形態は、複数の素子どうしを容易に配線できる有機電界発光素子、照明装置及び照明システムを提供する。
【課題を解決するための手段】
【０００５】
本発明の実施形態によれば、第１基板と、第１電極と、有機発光層と、第２電極と、第２基板と、第１端子部と、第２端子部と、を備えた有機電界発光素子が提供される。前記第１基板は、素子領域と前記素子領域を囲む外周領域とを含む多角形状の上面を有し、光透過性である。前記第１電極は、前記素子領域の上に設けられる。前記有機発光層は、前記第１電極の上に設けられる。前記第２電極は、前記有機発光層の上に設けられる。前記第２基板は、前記第２電極の上に設けられ、前記有機発光層及び前記第２電極を覆う。前記第１端子部は、前記外周領域の上に設けられ、前記第１電極と電気的に接続される。前記第２端子部は、前記外周領域の上において前記第１端子部と離間して設けられ、前記第２電極と電気的に接続される。前記第１端子部は、前記上面の１つの辺に沿う部分と、前記１つの辺の隣りの辺に沿う部分と、を少なくとも含む。前記第２端子部は、前記１つの辺と異なる別の１つの辺に沿う部分と、前記別の１つの辺の隣りの辺に沿う部分と、を少なくとも含む。前記上面の複数の辺のそれぞれに対して、前記第１端子部及び前記第２端子部の少なくとも一方が沿う。
【図面の簡単な説明】
【０００６】
【図１】図１（ａ）及び図１（ｂ）は、第１の実施形態に係る有機電界発光素子を表す模式図である。
【図２】図２（ａ）及び図２（ｂ）は、第１の実施形態に係る有機電界発光素子の一部を表す模式的平面図である。
【図３】図３（ａ）〜図３（ｄ）は、第１の実施形態に係る有機電界発光素子を表す模式的平面図である。
【図４】第１の実施形態に係る有機電界発光素子の一部を表す模式的断面図である。
【図５】図５（ａ）〜図５（ｃ）は、第１の実施形態に係る別の有機電界発光素子の一部を表す模式的平面図である。
【図６】図６（ａ）〜図６（ｃ）は、第１の実施形態に係る別の有機電界発光素子を表す模式的平面図である。
【図７】図７（ａ）及び図７（ｂ）は、第１の実施形態に係る別の有機電界発光素子を表す模式的断面図である。
【図８】第１の実施形態に係る別の有機電界発光素子を表す模式的平面図である。
【図９】図９（ａ）〜図９（ｄ）は、第１の実施形態に係る別の有機電界発光素子を表す模式的平面図である。
【図１０】図１０（ａ）及び図１０（ｂ）は、第１の実施形態に係る別の有機電界発光素子を表す模式的平面図である。
【図１１】第１の実施形態に係る別の有機電界発光素子を表す模式的平面図である。
【図１２】図１２（ａ）及び図１２（ｂ）は、第１の実施形態に係る別の有機電界発光素子を表す模式的平面図である。
【図１３】第２の実施形態に係る照明装置を表す模式図である。
【図１４】図１４（ａ）〜図１４（ｃ）は、第３の実施形態に係る照明システムを表す模式図である。
【発明を実施するための形態】
【０００７】
以下に、各実施の形態について図面を参照しつつ説明する。  
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。  
なお、本願明細書と各図において、既出の図に関して前述したものと同様の要素には同一の符号を付して詳細な説明は適宜省略する。
【０００８】
（第１の実施の形態）
図１（ａ）及び図１（ｂ）は、第１の実施形態に係る有機電界発光素子を表す模式図である。  
図１（ａ）は、模式的平面図であり、図１（ｂ）は、模式的断面図である。図１（ｂ）は、図１（ａ）のＡ１−Ａ２線断面である。  
図１（ａ）及び図１（ｂ）に表したように、有機電界発光素子１１０は、第１電極１０と、第２電極２０と、有機発光層３０と、第１端子部５１と、第２端子部５２と、第１基板８１と、第２基板８２と、を含む。この例において、有機電界発光素子１１０は、第１配線層４１と第２配線層４２と、をさらに含む。第１配線層４１及び第２配線層４２は、必要に応じて設けられ、省略可能である。
【０００９】
第１基板８１は、光透過性を有する。第１基板８１は、例えば、透明である。第１基板８１は、多角形状の上面８１ｕを有する。上面８１ｕは、素子領域８１ｐと、素子領域８１ｐを囲む外周領域８１ｑと、を含む。この例において、上面８１ｕは、四角形状である。上面８１ｕは、第１辺８１ａと、第１辺８１ａと対向する第２辺８１ｂと、第１辺８１ａの一端と第２辺８１ｂの一端とを接続する第３辺８１ｃと、第１辺８１ａの他端と第２辺８１ｂの他端とを接続する第４辺８１ｄと、を含む。
【００１０】
上面８１ｕは、より具体的には、長方形状である。すなわち、この例において、第１辺８１ａは、第２辺８１ｂに対して実質的に平行である。第３辺８１ａは、第４辺８１ｄに対して実質的に平行である。第１辺８１ａ及び第２辺８１ｂは、第３辺８１ｃ及び第４辺８１ｄに対して実質的に垂直である。
【００１１】
上面８１ｕは、長方形に限ることなく、台形や平行四辺形などでもよい。上面８１ｕは、四角形に限ることなく、三角形状や六角形状など任意の多角形でよい。なお、本願明細書において、「多角形状」には、例えば、頂点部分が丸められた形状や、頂点部分が面取りされた形状なども含むものとする。「多角形状」は、上面８１ｕに対して平行な平面に投影したとき（上から見たとき）に、概ね多角形であればよい。また、本願明細書において、「辺」には、直線状のものの他、僅かに湾曲しているものや、僅かな凹凸を有するものなども含むものとする。本願明細書において、「辺」とは、例えば、上面８１ｕの外縁の延在する方向の長さと、延在する方向に対して直交する方向の外縁の変位と、の比が、５％未満であることをいう。
【００１２】
ここで、上面８１ｕに対して垂直な方向をＺ軸方向とする。上面８１ｕに対して平行な１つの方向をＸ軸方向とする。Ｘ軸方向及びＺ軸方向に対して垂直な方向をＹ軸方向とする。Ｘ軸方向及びＹ軸方向は、Ｚ軸方向に対して垂直な方向である。Ｚ軸方向は、第１基板８１の厚さ方向に相当する。
【００１３】
この例では、第１辺８１ａ及び第２辺８１ｂが、Ｘ軸方向に延び、第３辺８１ｃ及び第４辺８１ｄが、Ｙ軸方向に延びる。例えば、第１辺８１ａのＹ軸方向の変位は、第１辺８１ａのＸ軸方向の長さに対して５％未満である。
【００１４】
第１電極１０は、第１基板８１の上面８１ｕのうちの素子領域８１ｐの上に設けられる。第１電極１０は、例えば、光透過性を有する。第１電極１０は、例えば、透明電極である。
【００１５】
有機発光層３０は、第１電極１０の上に設けられる。有機発光層３０は、光透過性を有する。有機発光層３０は、例えば、透明である。
【００１６】
図２（ａ）及び図２（ｂ）は、第１の実施形態に係る有機電界発光素子の一部を表す模式的平面図である。  
図２（ａ）は、第２電極２０のみを拡大して表す模式的平面図である。  
第２電極２０は、有機発光層３０の上に設けられる。第２電極２０は、導電部２０ａと、開口部２０ｂと、を有する。第２電極２０は、例えば、複数の導電部２０ａと、複数の開口部２０ｂと、を有する。複数の導電部２０ａのそれぞれは、Ｙ軸方向に延び、Ｘ軸方向に並ぶ。
【００１７】
複数の開口部２０ｂのそれぞれは、複数の導電部２０ａのそれぞれの間に配置される。この例において、複数の開口部２０ｂのそれぞれは、Ｙ軸方向に延びる溝状である。複数の開口部２０ｂのそれぞれは、Ｙ軸方向に延び、Ｘ軸方向に並ぶ。複数の開口部２０ｂのそれぞれは、例えば、有機発光層３０の一部を露呈させる。この例において、第２電極２０は、ストライプ状である。すなわち、第２電極２０は、上面８１ｕに対して平行な平面に投影したときに、第１電極１０の一部と重ならない。例えば、第１基板８１の上面８１ｕの一部を露呈させる。この例において、第２電極２０は、ストライプ状である。すなわち、第２電極２０は、上面８１ｕに対して平行な平面に投影したときに、上面８１ｕの一部と重ならない。
【００１８】
第２電極２０（導電部２０ａ）は、例えば、光反射性を有する。第２電極２０の光反射率は、第１電極１０の光反射率よりも高い。本願明細書においては、第１電極１０の光反射率よりも高い光反射率を有している状態を光反射性という。
【００１９】
この例では、第１電極１０と有機発光層３０との間に、絶縁層４５がさらに設けられる。絶縁層４５には、開口部４５ａが設けられている。開口部４５ａは、第１電極１０の一部を露呈させる。開口部４５ａは、例えば、複数設けてもよい。絶縁層４５は、例えば、Ｘ−Ｙ平面に投影したときに、第１電極１０と有機発光層３０とが重ならず、かつ第１電極１０と第２電極２０とが重なる部分において、第１電極１０と第２電極２０との間に延在する。これにより、絶縁層４５は、例えば、第１電極１０と第２電極２０との短絡を抑制する。また、絶縁層４５は、例えば、第２電極２０の形成の際などに、有機発光層３０の発光領域となる部分を保護する。また、絶縁層４５は、例えば、第１電極１０、第１配線層４１及び第２配線層４２のそれぞれのエッジ部（外縁）を覆うように設けられる。これにより、絶縁層４５は、例えば、第１電極１０、第１配線層４１及び第２配線層４２のそれぞれのエッジ部での電界集中を抑制する。例えば、第１電極１０と第２電極２０との短絡を抑制する。例えば、第１電極１０と第２配線層４２との短絡を抑制する。例えば、第２電極２０と第２配線層４２との短絡を抑制する。
【００２０】
第２基板８２は、光透過性を有する。第２基板８２は、例えば、透明である。第２基板８２は、第２電極２０の上に設けられる。第２基板８２は、有機発光層３０と第２電極２０とを覆う。第２基板８２は、Ｘ−Ｙ平面に対して平行な平面に投影したときに、第１基板８１の上面８１ｕの素子領域８１ｐに重なる。換言すれば、素子領域８１ｐは、上面８１ｕのうちの、Ｘ−Ｙ平面に投影したときに、第２基板８２と重なる領域である。
【００２１】
第２基板８２は、凹部８２ａを有する。凹部８２ａの深さ（Ｚ軸方向の長さ）は、上面８１ｕから第２電極２０の上面までのＺ軸方向の長さよりも長い。第２基板８２は、凹部８２ａの内部の空間に第２電極２０や有機発光層３０を収容する。
【００２２】
第１基板８１と第２基板８２との間には、シール部８５が設けられる。シール部８５は、例えば、第１基板８１及び第２基板８２の外縁に沿って環状に設けられ、第１基板８１と第２基板８２とを接着する。これにより、第１基板８１と第２基板８２とによって、第２電極２０や有機発光層３０などが封止される。これにより、例えば、有機発光層３０を水分などから保護することができる。シール部８５は、例えば、光透過性を有する。シール部８５は、例えば、透明である。
【００２３】
第２基板８２は、板状であっても良い。板状の第２基板８２を用いる場合には、第１基板８１と第２基板８２は、シール部８５で接続される。シール部８５は、素子領域８１ｐを囲むように設けられる。シール部８５のＺ軸方向の厚さは、第１電極１０の第１基板８１と対向する側の面と第２電極２０の第２基板８２と対向する側の面との間の距離よりも厚い。
【００２４】
凹部８２ａの内部の空間には、例えば、不活性ガスなどが充填される。凹部８２ａの内部に、乾燥剤などを設けてもよい。凹部８２ａの内部の空間は、例えば、空気層でもよい。例えば、凹部８２ａの内部の空間の真空度を高めてもよい。凹部８２ａの内部の空間には、例えば、液状のアクリル系樹脂やエポキシ樹脂などを充填してもよい。充填する材料は、第１基板８１と第２基板８２との間の空間に充填可能であればよく、これらの材料に限られない。またアクリル系樹脂やエポキシ系樹脂には乾燥材として、酸化カルシウムや酸化バリウムなどを添加してもよい。乾燥材は、水分や酸素を吸着する機能を有していればよく、これらの材料には限られない。
【００２５】
第２基板８２が板状の場合も同様に、第１基板８１と第２基板８２との貼り合わされた内部の空間には、例えば、不活性ガスなどが充填される。第１基板８１と第２基板８２の貼り合わされた内部に、乾燥剤などを設けてもよい。第１基板８１と第２基板８２との貼り合わされた内部の空間は、例えば、空気層でもよい。例えば、第１基板８１と第２基板８２との貼り合わされた内部の空間の真空度を高めてもよい。第１基板８１と第２基板８２との貼り合わされた内部の空間には、例えば、液状のアクリル系樹脂やエポキシ系樹脂などを充填してもよい。充填する材料は、第１基板８１と第２基板８２との間の空間を充填可能であればよく、これらの材料に限られない。またアクリル系樹脂やエポキシ系樹脂には乾燥材として、酸化カルシウムや酸化バリウムなどを添加してもよい。乾燥材は、水分や酸素を吸着する機能を有していればよく、これらの材料には限られない。
【００２６】
第１端子部５１は、外周領域８１ｑの上に設けられる。第１端子部５１は、第１電極１０と電気的に接続されている。第１端子部５１には、導電材料が用いられる。第１端子部５１は、上面８１ｕの１つの辺に沿う部分と、その隣りの辺に沿う部分と、を少なくとも含む。この例では、第１端子部５１が、上面８１ｕの第１辺８１ａに沿う部分５１ａと、第１辺８１ａの隣りの第３辺８１ｃに沿う部分５１ｂと、を含む。ここで、「辺に沿う」とは、例えば、第１端子部５１及び第２端子部５２において、辺に対して平行な方向に延びる長さが、辺に対して垂直な方向に延びる長さ以上であることをいう。例えば、第１端子部５１の１つの部分５１ａの第１辺８１ａに対して平行な方向に延びる長さｄ１は、部分５１ａの第１辺８１ａに対して垂直な方向に延びる長さｄ２以上である。本願明細書において、「電気的に接続」には、直接接触する場合のほか、間に他の導電部材などが介在する場合も含む。
【００２７】
第２端子部５２は、外周領域８１ｑの上において第１端子部５１と離間して設けられる。第２端子部５２は、第２電極２０と電気的に接続されている。第２端子部５２は、第１端子部５２と電気的に絶縁されている。第２端子部５２には、導電材料が用いられる。第２端子部５２は、上面８１ｕの第１端子部５１の１つの辺と異なる別の１つの辺に沿う部分と、その隣りの辺に沿う部分と、を少なくとも含む。この例では、第２端子部５２が、上面８１ｕの第２辺８１ｂに沿う部分５２ａと、第２辺８１ｂの隣りの第４辺８１ｄに沿う部分５２ｂと、を含む。
【００２８】
このように、第１端子部５１及び第２端子部５２は、上面８１ｕの複数の辺のそれぞれに対して、第１端子部５１及び第２端子部５２の少なくとも一方が沿うように配置される。この例では、上面８１ｕの４つの辺８１ａ〜８１ｄのそれぞれにおいて、第１辺８１ａ及び第３辺８１ｃに第１端子部５１が沿い、第２辺８１ｂ及び第４辺８１ｄに第２端子部５２が沿う。
【００２９】
この例において、第１端子部５１及び第２端子部５２は、光透過性を有する。第１端子部５１及び第２端子部５２は、例えば、透明である。この例において、第１端子部５１は、第１基板８１の上面８１ｕの素子領域８１ｐの上に延在している。第１端子部５１は、第１電極１０と実質的に同じ材料を含み、第１電極１０と連続している。すなわち、この例では、第１端子部５１が、第１電極１０と一体である。この例では、第１端子部５１を第１電極１０と一体に形成することにより、第１端子部５１が第１電極１０と電気的に接続される。第１端子部５１は、第１電極１０と連続していなくてもよい。第１端子部５１と第１電極１０との電気的な接続は、他の導電部材を介してもよい。
【００３０】
この例では、第２端子部５２が、第１電極１０と実質的に同じ材料を含む。第２端子部５２は、例えば、第１電極１０及び第１端子部５１と同じ導電膜から形成される。例えば、第１基板８１に光透過性の導電膜を形成し、その導電膜をパターニングする。これにより、導電膜から第１電極１０と第１端子部５１と第２端子部５２とが形成される。
【００３１】
この例において、第２端子部５２は、第１基板８１の上面８１ｕの素子領域８１ｐの上に延在している。素子領域８１ｐの上において、第２端子部５２の上に絶縁層４５が延在している。絶縁層４５の第２端子部５２の上に重なる部分には、開口部４５ｂが設けられている。開口部４５ｂは、第２端子部５２の一部を露呈させる。第２電極２０の一部は、開口部４５ｂの内側に入り込み、開口部４５ｂによって露呈された第２端子部５２の一部の上に延在する。第２電極２０は、例えば、開口部４５ｂの部分において、第２端子部５２の一部に接触する。これにより、第２電極２０と第２端子部５２とが、電気的に接続される。
【００３２】
このように、第１端子部５１及び第２端子部５２のＸ−Ｙ平面に投影した形状は、第２基板８２よりも外側に位置する部分の形状と同じであるとは限らない。第１端子部５１及び第２端子部５２は、少なくとも第２基板８２よりも外側に位置する部分において、上面８１ｕの辺に沿う複数の部分を有していればよい。例えば、第１端子部５１及び第２端子部５２において、Ｘ−Ｙ平面に投影したときに、第２基板８２に重ならない部分の形状が、上面８１ｕの辺に沿う複数の部分を有していればよい。
【００３３】
第１配線層４１は、例えば、第１電極１０と有機発光層３０との間に設けられる。この例において、第１配線層４１は、第１電極１０の外縁に沿って延びる。第１配線層４１は、例えば、環状である。第１配線層４１は、開口部４１ａを有する。開口部４１ａは、第１電極１０の一部を露呈させる。すなわち、第１配線層４１は、Ｘ−Ｙ平面に投影したときに、第１電極１０の一部と重ならない。
【００３４】
第１配線層４１は、導電材料を含む。第１配線層４１は、第１電極１０と電気的に接続される。第１配線層４１は、例えば、第１電極１０に接する。第１配線層４１の導電率は、第１電極１０の導電率よりも高い。第１配線層４１は、光反射性を有する。第１配線層４１の光反射率は、第１電極１０の光反射率よりも高い。第１配線層４１は、例えば、金属配線である。第１配線層４１は、例えば、第１電極１０に流れる電流を伝達する補助電極として機能する。これにより、例えば、第１電極１０のＸ−Ｙ平面に対して平行な方向に流れる電流量を均一にできる。例えば、面内の発光輝度をより均一にできる。
【００３５】
この例において、第１配線層４１は、第１端子部５１の上に延在している。第１配線層４１は、第１端子部５１と電気的に接続される。第１配線層４１は、例えば、第１電極１０に接する。第１配線層４１の導電率は、第１端子部５１の導電率よりも高い。これにより、例えば、第１端子部５１に流れる電流の伝達を補助することができる。例えば、第１端子部５１の部分における電気抵抗値を低減させることができる。
【００３６】
第２配線層４２は、例えば、第２端子部５２の上に設けられる。第２配線層４２は、導電材料を含む。第２配線層４２は、第２端子部５２と電気的に接続される。第２配線層４２は、例えば、第２端子部５２に接する。第２配線層４２は、光反射性を有する。第２配線層４２の光反射率は、第１電極１０の光反射率よりも高い。第２配線層４２は、例えば、金属配線である。第２配線層４２の導電率は、第２端子部５２の導電率よりも高い。第２配線層４２は、例えば、第２端子部５２に流れる電流の伝達を補助する補助配線として機能する。例えば、第２端子部５２の部分における電気抵抗値を低減させる。
【００３７】
この例において、第２配線層４２は、素子領域８１ｐの上に延在している。第２配線層４２は、例えば、第２電極２０と第２端子部５２との間に延在している。これにより、第２電極２０と第２端子部５２との間において、電流を流し易くすることができる。
【００３８】
図２（ｂ）は、第１配線層４１のみを拡大して表す模式的平面図である。  
図２（ｂ）に表したように、第１配線層４１は、複数の開口部４１ｂを含む。各開口部４１ｂは、二次元マトリクス状に並べて配置されている。すなわち、この例において、第１配線層４１は、メッシュ状である。これにより、第１端子部５１の部分において、光透過性を持たせることができる。
【００３９】
第１配線層４１は、ストライプ状でもよい。第１配線層４１をストライプ状とする場合には、上面８１ｕの１つの辺に並行にストライプを形成することができる。上面８１ｕの１つの辺に並行なストライプ状とすると、第１端子部５１の電位降下を少なくすることができる。また、メッシュ状とすると、例えば、後に説明する接続部材によって他の有機電界発光素子１１０と接続する場合に、接続部材と第１端子部５１との位置合わせが容易になる。なお、第１配線層４１は、開口部４１ｂを含まなくてもよい。すなわち、第１端子部５１の部分は、光反射性でもよい。
【００４０】
第２配線層４２は、第１配線層４１と同様に、メッシュ状である。これにより、第２端子部５２の部分において、光透過性を持たせることができる。第２配線層４２は、ストライプ状でもよい。第２配線層４２をストライプ状とする場合には、上面８１ｕの１つの辺に並行にストライプを形成することができる。上面８１ｕの１つの辺に並行なストライプ状とすると、第２端子部５２の電位降下を少なくすることができる。また、メッシュ状とすると、例えば、後に説明する接続部材によって他の有機電界発光素子１１０と接続する場合に、接続部材と第２端子部５２との位置合わせが容易になる。第２配線層４２は、開口部を含まない連続した層としてもよい。すなわち、第２端子部５２の部分は、光反射性でもよい。
【００４１】
有機発光層３０は、開口部４５ａによって露呈された第１電極１０の一部の上に延在する。有機発光層３０は、例えば、開口部４５ａによって露呈された第１電極１０の一部に接する。これにより、有機発光層３０が、第１電極１０と電気的に接続される。
【００４２】
有機発光層３０は、第２電極２０と電気的に接続される。有機発光層３０は、例えば、複数の導電部２０ａのそれぞれに接する。これにより、有機発光層３０が、第２電極２０と電気的に接続される。
【００４３】
第１電極１０と第２電極２０とを介して有機発光層３０に電圧を印加する、または電流を供給する。これにより、有機発光層３０が発光する。有機発光層３０は、例えば、電圧の印加または電流の供給により、陰極から注入された電子と陽極から注入された正孔とを再結合させ、励起子を生成する。有機発光層３０は、例えば、励起子が放射失活する際の光の放出を利用して発光する。
【００４４】
有機電界発光素子１１０では、有機発光層３０のうちの第１電極１０と導電部２０ａとの間の部分が、発光領域となる。この例において、有機発光層３０は、第１電極１０と複数の導電部２０ａのそれぞれとの間の複数の発光領域を有する。発光領域から発せられた発光光は、第１電極１０及び第１基板８１を介して、有機電界発光素子１１０の外部に出射する。発光光の一部は、第２電極２０で反射し、有機発光層３０、第１電極１０及び第１基板８１を介して外部に出射する。すなわち、有機電界発光素子１１０は、片面発光型である。
【００４５】
また、有機電界発光素子１１０では、外部から入射する外光が、複数の導電部２０ａのそれぞれの間の部分の第１電極１０及び有機発光層３０を透過する。このように、有機電界発光素子１１０は、発光光を出射させつつ、外部から有機電界発光素子１１０に入射する外光を透過させる。このように、有機電界発光素子１１０は、光透過性を有する。これにより、有機電界発光素子１１０では、有機電界発光素子１１０を介して、背景の像を視認できる。すなわち、有機電界発光素子１１０は、シースルー可能な薄膜状または板状の光源である。
【００４６】
このように、有機電界発光素子１１０によれば、光透過性の有機電界発光素子を提供できる。この有機電界発光素子１１０を照明装置に応用した場合、照明機能の他に、背景像を透過させる機能により、種々の新たな応用が可能になる。
【００４７】
また、有機電界発光素子１１０では、第１端子部５１及び第２端子部５２も光透過性を有する。有機電界発光素子１１０では、細線状の複数の導電部２０ａ、細線状の第１配線層４１及び第２配線層４２を除いて光透過性である。すなわち、有機電界発光素子１１０では、ほぼ全体が、光透過性である。有機電界発光素子１１０のほぼ全体が、透明である。これにより、例えば、有機電界発光素子１１０において、透過像の視認性を高めることができる。
【００４８】
有機電界発光素子では、複数の素子を並べて配置することにより、発光面積を大面積化することが行われている。複数の有機電界発光素子のそれぞれに対して給電を行う方法として、例えば、複数の有機電界発光素子のそれぞれに、陽極用の給電線と、陰極用の給電線と、を接続する方法がある。しかしながら、このような給電方法では、素子の数だけ給電線が必要となり、配線が煩雑となる。また、専用の配線基板上に複数の素子を並べて配置し、配線基板を介して複数の素子に給電を行う方法もある。しかしながら、この方法では、給電線の数を減らせる反面、配線基板が必要となり、構成が煩雑となる。例えば、部品点数が増加し、コストアップを招いてしまう。
【００４９】
これに対して、本実施形態に係る有機電界発光素子１１０では、第１端子部５１及び第２端子部５２が、上面８１ｕの辺に沿う複数の部分を有している。そして、上面８１ｕの複数の辺のそれぞれに対して、第１端子部５１及び第２端子部５２の少なくとも一方が沿うようにしている。これにより、例えば、複数の有機電界発光素子１１０を並べて配置した際に、隣り合う２つの有機電界発光素子１１０において、一方の有機電界発光素子１１０の第１端子部５１と、他方の有機電界発光素子１１０の第１端子部５１または第２端子部５２と、が、向かい合うようになる。例えば、向かい合う第１端子部５１どうし、向かい合う第２端子部５２どうし、または、向かい合う第１端子部５１と第２端子部５２を、導電性の接続部材で接続する。これにより、２つの有機電界発光素子１１０どうしを容易に電気的に接続することができる。
【００５０】
図３（ａ）〜図３（ｄ）は、第１の実施形態に係る有機電界発光素子を表す模式的平面図である。  
図３（ａ）は、３つの有機電界発光素子１１０をＹ軸方向に３つ並べ、それぞれを並列に接続した状態を表している。  
図３（ａ）に表したように、隣り合う２つの有機電界発光素子１１０の電気的な接続には、例えば、接続部材９５を用いる。接続部材９５は、例えば、導電性を有するフィルム状の部材や、リード線を半田付けした導電性部材、ボンディングされた金属ワイヤなどの導電線である。接続部材９５を第１端子部５１または第２端子部５２に貼り付ける。これにより、隣り合う２つの有機電界発光素子１１０を電気的に接続することができる。
【００５１】
また、接続部材９５は、例えば、光透過性を有する。接続部材９５は、例えば、透明である。これにより、光透過性を有する２つの有機電界発光素子１１０を電気的に接続する際に、接続部材９５を目立たなくさせることができる。例えば、透過像の視認性を高めることができる。
【００５２】
図３（ａ）に表したように、１つ目の有機電界発光素子１１０の第２端子部５２と、２つ目の有機電界発光素子１１０の第２端子部５２と、を、接続部材９５で接続する。２つ目の有機電界発光素子１１０の第１端子部５１と、３つ目の有機電界発光素子１１０の第１端子部５１と、を、接続部材９５で接続する。１つ目の有機電界発光素子１１０の第１端子部５１及び２つ目の有機電界発光素子１１０の第１端子部５１に、陽極及び陰極の一方の第１給電線９１を接続する。１つ目の有機電界発光素子１１０の第２端子部５２及び３つ目の有機電界発光素子１１０の第２端子部５２に、陽極及び陰極の他方の第２給電線９２を接続する。これにより、３つの有機電界発光素子１１０を並列に接続することができる。
【００５３】
図３（ｂ）は、３つの有機電界発光素子１１０をＹ軸方向に３つ並べ、それぞれを直列に接続した状態を表している。  
図３（ｂ）に表したように、１つ目の有機電界発光素子１１０の第２端子部５２と、２つ目の有機電界発光素子１１０の第１端子部５１と、を、接続部材９５で接続する。２つ目の有機電界発光素子１１０の第２端子部５２と、３つ目の有機電界発光素子１１０の第１端子部５１と、を、接続部材９５で接続する。１つ目の有機電界発光素子１１０の第１端子部５１に、第１給電線９１を接続する。３つ目の有機電界発光素子１１０の第２端子部５２に、第２給電線９２を接続する。これにより、３つの有機電界発光素子１１０を直列に接続することができる。
【００５４】
図３（ｃ）は、３つの有機電界発光素子１１０をＸ軸方向に３つ並べ、それぞれを直列に接続した状態を表している。  
図３（ｃ）に表したように、有機電界発光素子１１０では、複数の有機電界発光素子１１０をＸ軸方向に並べて直列に接続することもできる。
【００５５】
図３（ｄ）は、９つの有機電界発光素子１１０をＸ軸方向及びＹ軸方向に二次元マトリクス状に並べ、それぞれを直列に接続した状態を表している。  
図３（ｄ）に表したように、有機電界発光素子１１０では、複数の有機電界発光素子１１０を二次元マトリクス状に並べて直列に接続することもできる。
【００５６】
このように、本実施形態に係る有機電界発光素子１１０では、接続部材９５によって、隣り合う２つの有機電界発光素子１１０を容易に電気的に接続することができる。そして、有機電界発光素子１１０では、第１給電線９１及び第２給電線９２の数を減らすことができる。例えば、３つの有機電界発光素子１１０のそれぞれに第１給電線９１及び第２給電線９２を接続する場合には、それぞれ３本ずつの第１給電線９１及び第２給電線９２が必要となる。これに対して、例えば、接続部材９５によって直列に接続した場合には、１本ずつの第１給電線９１及び第２給電線９２を接続するだけでよい。
【００５７】
また、本実施形態に係る有機電界発光素子１１０では、接続部材９５の幅を長くすることができる。例えば、接続部材９５において、辺に対して平行な方向に延びる長さを、辺に対して垂直な方向に延びる長さ以上にすることができる。接続部材９５の幅とは、２つの有機電界発光素子１１０を接続する部分において、それぞれの素子の辺に対して平行な方向の長さである。例えば、図３（ａ）において、接続部材９５の幅とは、接続部材９５の第１辺８１ａ及び第２辺８１ｂに対して平行な方向の長さ（Ｘ軸方向の長さ）である。これにより、例えば、接続部材９５の幅を広くでき、抵抗値を抑えることができる。従って、例えば、複数の有機電界発光素子１１０を電気的に接続した際の無駄な電力消費を抑えることができる。また、接続部材９５の接続面積を大きくしたり、接続箇所を多くしたりすることができ、ひいては接続部の信頼性を向上することができる。
【００５８】
例えば、長さｄ２の幅の接続部材９５で、隣り合う２つの有機電界発光素子を電気的に接続しようとすると、接続部材９５の幅が狭いため抵抗が高くなり、無駄な電力消費が生じてしまう。これに対して、本実施形態に係る有機電界発光素子１１０では、例えば、長さｄ１の幅の接続部材で、隣り合う２つの有機電界発光素子を電気的に接続することができる。これにより、接続部材９５の幅を広くすることができ、抵抗値を抑え、無駄な電力消費を抑えることができる。例えば、ＩＴＯなどの透明な導電材料の導電率は、金属材料などの導電率に比べて低い。このため、接続部材９５の幅を広くできない構成では、第１端子部５１、第２端子部５２及び接続部材９５などを光透過性にしたときに、接続部材９５による電力消費の影響が大きくなる。本実施形態に係る有機電界発光素子１１０では、第１端子部５１、第２端子部５２及び接続部材９５などを光透過性にした場合でも、接続部材９５の幅を広くし、接続部材９５による電力消費を適切に抑えることができる。なお、光透過性の接続部材９５において、細線状または格子状の補助配線を設けてもよい。補助配線の導電率は、光透過性の接続部材９５の導電率よりも高くする。これにより、例えば、接続部材９５は光透過性を有しつつ、抵抗を抑えることができ、接続部材９５における電力損失を低減することができる。
【００５９】
このように、本実施形態に係る有機電界発光素子１１０では、複数の有機電界発光素子１１０のそれぞれを直列または並列に容易に配線することができる。外部から給電を行うための給電線の本数を少なくできる。配線基板などを別途用意する必要がなく、部品点数の増加を抑えることができる。接続部材９５による無駄な電力消費を抑えることができる。
【００６０】
図４は、第１の実施形態に係る有機電界発光素子の一部を表す模式的断面図である。  
図４に表したように、有機発光層３０は、第１層３１を含む。有機発光層３０は、必要に応じて、第２層３２及び第３層３３の少なくともいずれかをさらに含むことができる。第１層３１は、可視光の波長を含む光を放出する。第２層３２は、第１層３１と第１電極１０との間に設けられる。第３層３３は、第１層３１と第２電極２０との間に設けられる。
【００６１】
第１層３１には、例えば、Ａｌｑ３（トリス(８−ヒドロキシキノリノラト)アルミニウム）、Ｆ８ＢＴ（ポリ(9,9-ジオクチルフルオレン-ｃｏ-ベンゾチアジアゾール）及びＰＰＶ（ポリパラフェニレンビニレン）などの材料を用いることができる。第１層３１には、ホスト材料と、ホスト材料に添加されるドーパントと、の混合材料を用いることができる。ホスト材料としては、例えばＣＢＰ（4,4'−N,N'-ビスジカルバゾリルール−ビフェニル）、ＢＣＰ（2,9−ジメチル-4,7 ジフェニル−1,10−フェナントロリン）、ＴＰＤ（4,4'−ビス−Ｎ−３メチルフェニル−Ｎ−フェニルアミノビフェニル）、ＰＶＫ（ポリビニルカルバゾール）及びＰＰＴ（ポリ（３−フェニルチオフェン））などを用いることができる。ドーパント材料としては、例えば、Ｆｌｒｐｉｃ（イリジウム(III)ビス(4,6-ジ-フルオロフェニル)-ピリジネート-N,C2'-ピコリネート）、Ｉｒ（ｐｐｙ）３（トリス (２−フェニルピリジン)イリジウム）及びＦｌｒ６（ビス（２，４−ジフルオロフェニルピリジナト）−テトラキス（１−ピラゾリル）ボラート−イリジウム（ＩＩＩ））などを用いることができる。なお、第１層３１は、これらの材料に限定されない。
【００６２】
第２層３２は、例えば、正孔注入層として機能する。正孔注入層としては、例えば、ＰＥＤＰＯＴ：ＰＰＳ（ポリ(3,4- エチレンジオキシチオフェン)-ポリ(スチレンスルホン酸)）、ＣｕＰｃ(銅フタロシアニン)、及び、ＭｏＯ３（三酸化モリブデン）などの少なくともいずれかを含む材料を用いることができる。第２層３２は、例えば正孔輸送層として機能する。正孔輸送層としては、例えば、α−ＮＰＤ（4，4'−ビス［N−（1−ナフチル）−N−フェニルアミノ］ビフェニル）、ＴＡＰＣ（1,1-ビス[4-[N,N-ジ(p-トリル)アミノ]フェニル]シクロヘキサン）、ｍ−ＭＴＤＡＴＡ（4,4',4''-トリス[フェニル(m-トリル)アミノ]トリフェニルアミン）、ＴＰＤ（ビス(3-メチルフェニル)-N,N'-ジフェニルベンジジン）、及び、ＴＣＴＡ（4，4'，4"−トリ（N− カルバゾリル）トリフェニルアミン）などの少なくともいずれかを含む材料を用いることができる。第２層３２は、例えば、正孔注入層として機能する層と、正孔輸送層として機能する層と、の積層構造を有しても良い。第２層３２は、正孔注入層として機能する層及び正孔輸送層として機能する層とは別の層を含んでも良い。なお、第２層３２は、これらの材料に限定されない。
【００６３】
第３層３３は、例えば電子注入層として機能する層を含むことができる。電子注入層としては、例えば、フッ化リチウム、フッ化セシウム、及び、リチウムキノリン錯体などの少なくともいずれかを含む材料を用いることができる。第３層３３は、例えば、電子輸送層として機能する層を含むことができる。電子輸送層としては、例えば、Ａｌｑ３（トリス（8キノリノラト）アルミニウム（III））、ＢＡｌｑ(ビス（２−メチル−８− キノリラト）(ｐ−フェニルフェノラート)アルミニウム)、Ｂｐｈｅｎ（バソフェナントロリン）、及び、３ＴＰＹＭＢ（トリス[３−(３−ピリジル)−メシチル]ボラン）などの少なくともいずれかを含む材料を用いることができる。第３層３３は、例えば、電子注入層として機能する層と、電子輸送層として機能する層と、の積層構造を有しても良い。第３層３３は、電子注入層として機能する層及び電子輸送層として機能する層とは別の層を含んでも良い。なお、第３層３３は、これらの材料に限定されない。
【００６４】
例えば、有機発光層３０から放出される光は、実質的に白色光である。すなわち、有機電界発光素子１１０から出射する光は白色光である。ここで、「白色光」は、実質的に白色であり、例えば、赤色系、黄色系、緑色系、青色系及び紫色系などの白色の光も含む。
【００６５】
第１電極１０は、例えば、Ｉｎ、Ｓｎ、Ｚｎ及びＴｉよりなる群から選択された少なくともいずれかの元素を含む酸化物を含む。第１電極１０には、例えば、酸化インジウム、酸化亜鉛、酸化錫、インジウム錫酸化物（ＩＴＯ：Indium Tin Oxide）膜、フッ素ドープ酸化錫（ＦＴＯ）、インジウム亜鉛酸化物を含む導電性ガラスを用いて作製された膜（例えばＮＥＳＡなど）、金、白金、銀、及び、銅などを用いることができる。第１電極１０は、例えば、陽極として機能する。また、前述のように、第１端子部５１及び第２端子部５２には、第１電極１０と実質的に同じ材料が用いられる。なお、第１電極１０は、これらの材料に限定されない。
【００６６】
第２電極２０は、例えば、アルミニウム及び銀の少なくともいずれかを含む。例えば、第２電極２０には、アルミニウム膜が用いられる。さらに、第２電極２０として、銀とマグネシウムとの合金を用いても良い。この合金にカルシウムを添加しても良い。第２電極２０は、例えば、陰極として機能する。なお、第２電極２０は、これらの材料に限定されない。
【００６７】
なお、第１電極１０を陰極とし、第２電極２０を陽極とし、第２層３２を電子注入層または電子輸送層として機能させ、第３層３３を正孔注入層または正孔輸送層として機能させてもよい。または、第１電極１０を光反射性の電極と光透過性の電極（例えば透明電極）との積層構造とし、図２（ａ）及び（ｂ）に示すようにストライプ状または、格子状にパターニングし、第２電極２０を光透過性の電極（例えば透明電極）としてもよい。これにより、トップエミッション型の有機電界発光素子１１０とすることが可能となる。第１電極１０を光反射性とし、第２電極２０を光透過性とすることも可能である。この場合、第２電極２０の光反射率よりも高い光反射率を有している状態を光反射性と表すこととすると、第２電極２０の光反射率は、第１電極１０の光反射率よりも高い。この場合、さらに、第１配線層４１の光反射率は、第１電極１０の光反射率よりも高くすることができる。また、第２配線層４２の光反射率は、第１電極１０の光反射率よりも高くすることができる。
【００６８】
第１配線層４１及び第２配線層４２は、例えば、Ｍｏ、Ｔａ、Ｎｂ、Ａｌ、Ｎｉ及びＴｉよりなる群から選択された、少なくともいずれかの元素を含む。第１配線層４１及び第２配線層４２は、例えば、この群から選択された元素を含む混合膜とすることができる。第１配線層４１及び第２配線層４２は、それらの元素を含む積層膜とすることができる。第１配線層４１及び第２配線層４２には、例えばＮｂ／Ｍｏ／Ａｌ／Ｍｏ／Ｎｂの積層膜を用いることができる。第１配線層４１及び第２配線層４２は、例えば、第１電極１０の電位降下を抑制する補助電極として機能する。第１配線層４１及び第２配線層４２は、電流供給のためのリード電極として機能することができる。なお、第１配線層４１及び第２配線層４２は、これらの材料に限定されない。
【００６９】
絶縁層４５には、例えば、ポリイミド樹脂、アクリル樹脂、シリコン酸化膜（例えばＳｉＯ２）、シリコン窒化膜（例えばＳｉＮ）、または、シリコン酸窒化膜などが用いられる。なお、絶縁層４５は、これらの材料に限定されない。
【００７０】
第１基板８１及び第２基板８２には、例えば、ガラス基板、または、樹脂基板などが用いられる。シール部８５には、例えば、紫外線硬化樹脂などが用いられる。
【００７１】
光透過性の接続部材９５には、例えば、ＩＴＯを片面または両面に設けたＰＥＴフィルムやＰＥＮフィルムなどが用いられる。例えば、異方性導電フィルム（Anisotropic Conductive Film：ACF）や、光透過性の透明導電ペーストなどを用いて、接続部材９５を貼り合わせることで、第１端子部５１及び第２端子部５２に接続される。接続部材９５は、例えば、光透過性を有しない導電性シートなどでもよい。
【００７２】
接続部材９５には例えば、５μｍ以上２０００μｍ以下のワイヤやリード線を用いても良い。その場合、例えば接続部材９５はワイヤボンディングや半田付によって、第１端子部５１及び第２端子部５２に接続される。この場合、ワイヤやリード線を複数接続し、ワイヤやリード線のピッチを１０μｍ以上２０００μｍ以下とすることで、第１端子部５１及び第２端子部５２の光透過性を保ちつつ、電気的に接続することができる。
【００７３】
第１電極１０の厚さ（Ｚ軸方向の長さ）は、例えば、１０ｎｍ以上５００ｎｍ以下である。この例において、第１端子部５１の厚さ及び第２端子部５２の厚さは、例えば、１０ｎｍ以上１０μｍ以下である。有機発光層３０の厚さは、例えば、１０ｎｍ以上５００ｎｍ以下である。第２電極２０（導電部２０ａ）の厚さは、例えば、１０ｎｍ以上５００ｎｍ以下である。導電部２０ａの幅Ｗ１（Ｘ軸方向の長さ）は、例えば、１μｍ以上２０００μｍ以下である。複数の導電部２０ａのピッチＰｔ１は、例えば、２μｍ以上２０００μｍ以下である。ピッチＰｔ１は、例えば、隣り合う２つの導電部２０ａのＸ軸方向の中心間のＸ軸方向の距離である。
【００７４】
図５（ａ）〜図５（ｃ）は、第１の実施形態に係る別の有機電界発光素子の一部を表す模式的平面図である。  
図５（ａ）に表したように、第２電極２０は、格子状でもよい。この例において、第２電極２０は、１つの導電部２０ａと、複数の開口部２０ｂと、を含む。複数の開口部２０ｂのそれぞれは、Ｘ軸方向及びＹ軸方向に二次元マトリクス状に並べられる。複数の開口部２０ｂのそれぞれのＸ−Ｙ平面に投影した形状は、例えば、矩形状である。これにより、導電部２０ａは、Ｘ−Ｙ平面に投影したときに、格子状となる。この例において、第２電極２０のパターン形状は、格子状である。このように、第２電極２０のパターン形状は、ストライプ状に限ることなく、格子状でもよい。格子状の第２電極２０では、例えば、ストライプ状の第２電極２０に比べて、導電部２０ａの幅を細くしつつ、発光領域の面積を大きくできる。
【００７５】
この例では、開口部２０ｂのＸ−Ｙ平面に投影した形状が、矩形状である。開口部２０ｂの形状は、矩形状に限ることなく、例えば、円形、楕円形または他の多角形状でもよい。開口部２０ｂの形状は、任意の形状でよい。本願明細書において、「格子状」には、開口部が矩形状であるものの他、開口部が任意の形状であるものも含む。例えば、ハニカム状の形状なども、「格子状」に含むものとする。すなわち、第２電極２０のパターン形状は、ハニカム状などでもよい。
【００７６】
図５（ｂ）に表したように、第２電極２０は、開口部２０ｂを含まなくてもよい。すなわち、第２電極２０は、Ｘ−Ｙ平面に対して平行な平面に投影したときに、第１電極１０の全部と重なってもよい。この場合、有機電界発光素子１１０は、光透過性を持たない。このように、有機電界発光素子１１０は、光透過性でなくてもよい。この場合、有機発光層３０及び第２基板８２は、光透過性でなくもよい。この場合、第２基板８２は、金属基板や光透過性のない樹脂基板などでもよい。
【００７７】
図５（ｃ）に表したように、第２電極２０は、光透過性でもよい。第２電極２０は、例えば、透明でもよい。
【００７８】
この場合、第２電極２０は、Ｘ−Ｙ平面に対して平行な平面に投影したときに、第１電極１０の全部と重なってもよい。
【００７９】
光透過性の第２電極２０を用いた場合には、第１電極１０と第２電極２０とを介して有機発光層３０に電圧を印加すると、発光領域から発せられた発光光が、第１電極１０を介して有機電界発光素子１１０の外部に出射するとともに、第２電極２０を介して有機電界発光素子１１０の外部に出射する。すなわち、両面発光型の有機電界発光素子１１０とすることができる。
【００８０】
光透過性の第２電極２０には、例えば、第１電極１０に関して説明した材料を用いることができる。また、光透過性の第２電極２０は、例えば、Ｍｇをある比率でＡｇに添加したＭｇＡｇなどの金属材料でもよい。金属材料において、第２電極２０の厚さを５ｎｍ以上２０ｎｍ以下とする。これにより、適切な光透過性を得ることができる。または、第２電極２０の一部として、１ｎｍ以上２０ｎｍ以下のＭｇＡｇや、ＡｇもしくはＡｌなどと、ＩＴＯなどの透明導電膜と、を積層したものを用いてもよい。
【００８１】
図６（ａ）〜図６（ｃ）は、第１の実施形態に係る別の有機電界発光素子を表す模式的平面図である。  
図６（ａ）に表したように、有機電界発光素子１１１では、第１配線層４１が、第１端子部５１の上に延在していない。このように、第１配線層４１は、第１電極１０の上のみに設けてもよい。これとは、反対に、第１端子部５１の上のみに第１配線層４１を設けてもよい。また、第１電極１０の上の第１配線層４１に対して物理的に接続されていない別の配線層を第１端子部５１の上に設けてもよい。
【００８２】
図６（ｂ）に表したように、有機電界発光素子１１２では、第１配線層４１が、複数の開口部４０ａを含む。複数の開口部４０ａは、Ｙ軸方向に延び、Ｘ軸方向に並ぶ。この例において、第１配線層４１のＸ−Ｙ平面に投影した形状は、ストライプ状である。このように、第１配線層４１は、ストライプ状でもよい。
【００８３】
図６（ｃ）に表したように、有機電界発光素子１１３では、第１配線層４１が、複数の開口部４０ａを含む。複数の開口部４０ａは、Ｘ軸方向及びＹ軸方向に二次元マトリクス状に並ぶ。この例において、第１配線層４１のＸ−Ｙ平面に投影した形状は、格子状である。このように、第１配線層４１は、格子状でもよい。
【００８４】
第１配線層４１のＸ−Ｙ平面に投影した形状は、任意の形状でよい。第１配線層４１は、例えば、第１電極１０の面内に均一に電流を流すことができる任意の形状でよい。第１配線層４１は、例えば、第１電極１０の外縁に沿って延びる部分を有していればよい。
【００８５】
図７（ａ）及び図７（ｂ）は、第１の実施形態に係る別の有機電界発光素子を表す模式的断面図である。  
図７（ａ）に表したように、有機電界発光素子１１４では、第１配線層４１が、第１基板８１と第１電極１０との間に配置されている。このように、第１配線層４１は、第１電極１０と有機発光層３０との間に配置してもよいし、第１基板８１と第１電極１０との間に配置してもよい。第１電極１０と有機発光層３０との間と、第１基板８１と第１電極１０との間と、の双方に、第１配線層４１を設けてもよい。
【００８６】
図７（ｂ）に表したように、有機電界発光素子１１５では、第１端子部５１が、第１配線層４１と実質的に同じ材料を含む。そして、第１端子部５１が、第１配線層４１と連続している。第１端子部５１は第１電極１０と第１配線層４１との積層構造を一部に有していても良い。この場合、第１端子部５１は、光反射性である。このように、第１端子部５１は、光反射性でもよい。第１端子部５１を光反射性とする場合、第１端子部５１は、第１配線層４１と一体に形成してもよい。
【００８７】
有機電界発光素子１１５において、第２端子部５２は、例えば、光反射性である。第２端子部５２は、光反射性でもよい。第２端子部５２を光反射性とする場合、第２端子部５２は、第１配線層４１と実質的に同じ材料を含んでもよい。すなわち、第２端子部５２は、第１配線層４１及び第１端子部５１と同じ導電膜から形成してもよい。また第２端子部５２は第１電極１０と第１配線層４１との積層構造を一部に有していても良い。
【００８８】
図８は、第１の実施形態に係る別の有機電界発光素子を表す模式的平面図である。  
図８に表したように、有機電界発光素子１２０では、第１端子部５１が、上面８１ｕの第４辺８１ｄに沿う部分５１ｃをさらに含み、第２端子部５２が、上面８１ｕの第３辺８１ｃに沿う部分５２ｃをさらに含む。
【００８９】
例えば、上面８１ｕの辺の数が、２ｍであるとする。ここで、「ｍ」は、２以上の整数である。すなわち、上面８１ｕの辺の数が、偶数であるとする。この場合、有機電界発光素子１２０では、第１端子部５１が、上面８１ｕの複数の辺のうちの連続するｍ＋１の辺のそれぞれに沿うｍ＋１の部分を含む。そして、第２端子部５２が、上面８１ｕの複数の辺のうちの連続する別のｍ＋１の辺のそれぞれに沿うｍ＋１の部分を含む。このとき、第２端子部５２は、上面８１ｕの複数の辺のうちの第１端子部５１の沿っていない残りのｍ−１の辺のそれぞれに少なくとも沿う。
【００９０】
一方、例えば、上面８１ｕの辺の数が、２ｎ＋１であるとする。ここで、「ｎ」は、１以上の整数である。すなわち、上面８１ｕの辺の数が、奇数であるとする。この場合、有機電界発光素子１２０では、第１端子部５１が、上面８１ｕの複数の辺のうちの連続するｎ＋１の辺のそれぞれに沿うｎ＋１の部分を含む。そして、第２端子部５２が、上面８１ｕの複数の辺のうちの連続する別のｎ＋１の辺のそれぞれに沿うｎ＋１の部分を含む。このとき、第２端子部５２は、上面８１ｕの複数の辺のうちの第１端子部５１の沿っていない残りのｎの辺のそれぞれに少なくとも沿う。
【００９１】
有機電界発光素子１２０において、上面８１ｕは、四角形状である。すなわち、有機電界発光素子１２０では、ｍ＝２の場合を例示している。従って、この例では、第１端子部５１が、上面８１ｕの連続する３つの辺のそれぞれに沿う３つの部分５１ａ、５１ｂ、５１ｃを含む。そして、第２端子部５２が、上面８１ｕの連続する３つの辺のそれぞれに沿う３つの部分５２ａ、５２ｂ、５２ｃを含む。第２端子部５２の１つの部分５２ａは、第１端子部５１の沿っていない第２辺８１ｂに沿っている。
【００９２】
図９（ａ）〜図９（ｄ）、及び、図１０（ａ）及び図１０（ｂ）は、第１の実施形態に係る別の有機電界発光素子を表す模式的平面図である。  
図９（ａ）は、３つの有機電界発光素子１２０をＹ軸方向に３つ並べ、それぞれを並列に接続した状態を表している。  
図９（ｂ）は、３つの有機電界発光素子１２０をＹ軸方向に３つ並べ、それぞれを直列に接続した状態を表している。  
図９（ｃ）は、３つの有機電界発光素子１２０をＸ軸方向に３つ並べ、それぞれを並列に接続した状態を表している。  
図９（ｄ）は、３つの有機電界発光素子１２０をＸ軸方向に３つ並べ、それぞれを直列に接続した状態を表している。  
図１０（ａ）は、９つの有機電界発光素子１２０をＸ軸方向及びＹ軸方向に二次元マトリクス状に並べ、それぞれを並列に接続した状態を表している。  
図１０（ｂ）は、９つの有機電界発光素子１２０をＸ軸方向及びＹ軸方向に二次元マトリクス状に並べ、それぞれを直列に接続した状態を表している。
【００９３】
このように、本実施形態に係る有機電界発光素子１２０では、例えば、Ｘ軸方向に並べた複数の有機電界発光素子１２０を並列に接続する場合や、二次元マトリクス状に並べた複数の有機電界発光素子１２０を並列に接続する場合においても、接続部材９５の幅を長くできる。複数の有機電界発光素子１２０のそれぞれを直列または並列により容易に配線することができる。接続部材９５による無駄な電力消費を抑えることができる。また、接続面積を大きく、接続箇所を多くできるため、接続の信頼性を向上できる。
【００９４】
図１１は、第１の実施形態に係る別の有機電界発光素子を表す模式的平面図である。  
図１１に表したように、有機電界発光素子１２１では、第１基板８１の上面８１ｕが、第１辺８１ａ〜第６辺８１ｆを有する六角形状である。すなわち、有機電界発光素子１２１は、ｍ＝３の場合を例示している。
【００９５】
有機電界発光素子１２１では、第１端子部５１が、上面８１ｕの連続する４つの辺のそれぞれに沿う４つの部分を含む。有機電界発光素子１２１では、第１端子部５１が、第１辺８１ａに沿う部分５１ａと、第２辺８１ｂに沿う部分５１ｂと、第３辺８１ｃに沿う部分５１ｃと、第４辺８１ｄに沿う部分５１ｄと、を含む。
【００９６】
有機電界発光素子１２１では、第２端子部５２が、上面８１ｕの連続する４つの辺のそれぞれに沿う４つの部分を含む。有機電界発光素子１２１では、第２端子部５２が、第１辺８１ａに沿う部分５２ａと、第４辺８１ｄに沿う部分５２ｂと、第５辺８１ｅに沿う部分５２ｃと、第６辺８１ｆに沿う部分５２ｄと、を含む。第２端子部５２は、第１端子部５１の沿っていない第５辺８１ｅ及び第６辺８１ｆに沿う部分５２ｃ、５２ｄを含む。
【００９７】
このように、有機電界発光素子１２１において、４つの部分５１ａ〜５１ｄを含む第１端子部５１と、４つの部分５２ａ〜５２ｄを含む第２端子部５２と、を設ける。これにより、上面８１ｕを六角形状にした場合にも、複数の有機電界発光素子１２１のそれぞれを直列または並列により容易に配線することができる。
【００９８】
図１２（ａ）及び図１２（ｂ）は、第１の実施形態に係る別の有機電界発光素子を表す模式的平面図である。  
図１２（ａ）に表したように、有機電界発光素子１２２では、第１基板８１の上面８１ｕが、第１辺８１ａ〜第３辺８１ｃを有する三角形状である。すなわち、有機電界発光素子１２２は、ｎ＝１の場合を例示している。
【００９９】
有機電界発光素子１２２では、第１端子部５１が、上面８１ｕの連続する２つの辺のそれぞれに沿う２つの部分を含む。有機電界発光素子１２２では、第１端子部５１が、第１辺８１ａに沿う部分５１ａと、第２辺８１ｂに沿う部分５１ｂと、を含む。
【０１００】
有機電界発光素子１２２では、第２端子部５２が、上面８１ｕの連続する２つの辺のそれぞれに沿う２つの部分を含む。有機電界発光素子１２２では、第２端子部５２が、第２辺８１ｂに沿う部分５２ａと、第３辺８１ｃに沿う部分５２ｂと、を含む。第２端子部５２は、第１端子部５１の沿っていない第３辺８１ｃに沿う部分５２ｂを含む。
【０１０１】
このように、有機電界発光素子１２２において、２つの部分５１ａ、５１ｂを含む第１端子部５１と、２つの部分５２ａ、５２ｂを含む第２端子部５２と、を設ける。これにより、上面８１ｕを三角形状にした場合にも、複数の有機電界発光素子１２２のそれぞれを直列または並列により容易に配線することができる。
【０１０２】
図１２（ｂ）に表したように、有機電界発光素子１２３では、上面８１ｕを三角形状にした場合において、第１端子部５１が、第３辺８１ｃに沿う部分５１ｃを、さらに含む。有機電界発光素子１２３では、第１端子部５１が、上面８１ｕの３つの辺に沿い、第２端子部５１が、上面８１ｕの２つの辺に沿う。このように、第１端子部５１の沿う辺の数は、第２端子部５２の沿う辺の数と異なっていてもよい。
【０１０３】
上面８１ｕの辺の数が、２ｍである場合には、第１端子部５１及び第２端子部５２のそれぞれが、少なくともｍ＋１の辺に沿っていればよい。上面８１ｕの辺の数が、２ｎ＋１である場合には、第１端子部５１及び第２端子部５２のそれぞれが、少なくともｎ＋１の辺に沿っていればよい。
【０１０４】
（第２の実施形態）  
図１３は、第２の実施形態に係る照明装置を表す模式図である。  
図１３に表したように、本実施形態に係る照明装置２１０は、第１の実施形態に係る有機電界発光素子（例えば有機電界発光素子１１０）と、電源部２０１と、を備える。
【０１０５】
電源部２０１は、第１電極１０と第２電極２０とに電気的に接続される。電源部２０１は、第１電極１０及び第２電極２０を介して有機発光層３０に電流を供給する。  
本実施形態に係る照明装置２１０によれば、信頼性の高い照明装置を提供できる。
【０１０６】
（第３の実施形態）  
図１４（ａ）〜図１４（ｃ）は、第３の実施形態に係る照明システムを表す模式図である。  
図１４（ａ）に表したように、本実施形態に係る照明システム３１１は、第１の実施形態に係る複数の有機電界発光素子（例えば有機電界発光素子１２０）と、制御部３０１と、を備える。
【０１０７】
制御部３０１は、複数の有機電界発光素子１２０のそれぞれと電気的に接続され、複数の有機電界発光素子１２０のそれぞれの点灯・消灯を制御する。照明システム３１１では、複数の有機電界発光素子１２０のそれぞれが、直列に接続されている。制御部３０１は、複数の有機電界発光素子１２０のうちの１つの有機電界発光素子１２０の第１端子部５１と電気的に接続される。そして、制御部３０１は、複数の有機電界発光素子１２０のうちの別の１つの有機電界発光素子１２０の第２端子部５２と電気的に接続される。これにより、制御部３０１は、複数の有機電界発光素子１２０のそれぞれの点灯・消灯をまとめて制御する。
【０１０８】
有機電界発光素子１２０では、複数の有機電界発光素子１２０のそれぞれを接続部材９５によって容易に直列または並列に接続することができる。例えば、複数の有機電界発光素子１２０と制御部３０１との電気的な接続を容易に行うことができる。例えば、光透過性の有機電界発光素子１２０において、第１端子部５１及び第２端子部５２を光透過性とする。そして、接続部材９５を光透過性とする。これにより、透過像の視認性を高めることができる。
【０１０９】
図１４（ｂ）に表したように、照明システム３１２では、複数の有機電界発光素子１２０のそれぞれが、並列に接続されている。この例では、３つの有機電界発光素子１２０のそれぞれが、並列に接続されている。制御部３０１は、１つ目の有機電界発光素子１２０の第１端子部５１と電気的に接続される。制御部３０１は、１つ目の有機電界発光素子１２０の第２端子部５２と電気的に接続される。制御部３０１は、２つ目の有機電界発光素子１２０の第１端子部５１と電気的に接続される。そして、制御部３０１は、３つ目の第２端子部５２と電気的に接続される。これにより、照明システム３１２では、４本の給電線のうちのいずれかを選択することで、各有機電界発光素子１２０の点灯・消灯を個別に制御することができる。
【０１１０】
図１４（ｃ）に表したように、照明システム３１３では、制御部３０１が、複数の有機電界発光素子１２０のそれぞれの第１電極１０及び第２電極２０と電気的に接続される。これにより、制御部３０１は、複数の有機電界発光素子１２０のそれぞれの点灯・消灯を個別に制御する。このように、制御部３０１は、複数の有機電界発光素子１２０のそれぞれの点灯・消灯を個別に制御してもよいし、まとめて制御してもよい。
【０１１１】
有機電界発光素子１２０では、例えば、複数の素子を用意に配線することができる。これにより、例えば、複数の素子を個別に点灯・消灯させる際に、給電線の本数を抑えることができる。例えば、３つの有機電界発光素子を個別に点灯・消灯させる場合において、照明システム３１３のように各素子のそれぞれと配線する場合には、６本の給電線が必要となる。一方、照明システム３１２のように、有機電界発光素子１２０では、各素子を並列に接続することで、個別の点灯・消灯を４本の給電線で行うことができる。さらに、照明システム３１１のように、各素子を直列に接続して場合には、２本の給電線で済む。このように、実施形態に係る有機電界発光素子１２０などでは、制御部３０１との接続に必要な給電線の本数を抑えることができる。
【０１１２】
本実施形態に係る照明システム３１１〜３１３によれば、複数の素子どうしを容易に配線できる照明システムを提供できる。
【０１１３】
実施形態によれば、複数の素子どうしを容易に配線できる有機電界発光素子、照明装置及び照明システムが提供される。
【０１１４】
なお、本願明細書において、「垂直」及び「平行」は、厳密な垂直及び厳密な平行だけではなく、例えば製造工程におけるばらつきなどを含むものであり、実質的に垂直及び実質的に平行であれは良い。
【０１１５】
以上、具体例を参照しつつ、本発明の実施の形態について説明した。しかし、本発明の実施形態は、これらの具体例に限定されるものではない。例えば、有機電界発光素子に含まれる、第１電極、第２電極、有機発光層、配線層、第１基板、第２基板、第１端子部、第２端子部、並びに、照明装置に含まれる電源部、照明システムに含まれる制御部及び接続部材などの各要素の具体的な構成に関しては、当業者が公知の範囲から適宜選択することにより本発明を同様に実施し、同様の効果を得ることができる限り、本発明の範囲に包含される。  
また、各具体例のいずれか２つ以上の要素を技術的に可能な範囲で組み合わせたものも、本発明の要旨を包含する限り本発明の範囲に含まれる。
【０１１６】
その他、本発明の実施の形態として上述した有機電界発光素子、照明装置及び照明システムを基にして、当業者が適宜設計変更して実施し得る全ての有機電界発光素子、照明装置及び照明システムも、本発明の要旨を包含する限り、本発明の範囲に属する。
【０１１７】
その他、本発明の思想の範疇において、当業者であれば、各種の変更例及び修正例に想到し得るものであり、それら変更例及び修正例についても本発明の範囲に属するものと了解される。
【０１１８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１１９】
１０…第１電極、  ２０…第２電極、  ２０ａ…導電部、  ２０ｂ…開口部、  ３０…有機発光層、  ４１…第１配線層、  ４２…第２配線層、  ４５…絶縁層、  ５１…第１端子部、  ５２…第２端子部、  ８１…第１基板、  ８１ｕ…上面、  ８１ｐ…素子領域、  ８１ｑ…外周領域、  ８２…第２基板、  ８５…シール部、  ９１…第１給電線、  ９２…第２給電線、  ９５…接続部材、  １１０〜１１５、１２０〜１２３…有機電界発光素子、  ２０１…電源部、  ２１０…照明装置、  ３０１…制御部、  ３１１〜３１３…照明システム
【図１】
2014154212.tif 000003
【図２】
2014154212.tif 000004
【図３】
2014154212.tif 000005
【図４】
2014154212.tif 000006
【図５】
2014154212.tif 000007
【図６】
2014154212.tif 000008
【図７】
2014154212.tif 000009
【図８】
2014154212.tif 000010
【図９】
2014154212.tif 000011
【図１０】
2014154212.tif 000012
【図１１】
2014154212.tif 000013
【図１２】
2014154212.tif 000014
【図１３】
2014154212.tif 000015
【図１４】
2014154212.tif 000016